(57)【要約】【課題】簡単な構造で複数の対象物のそれぞれを個別に包むことができる収納体を提供すること。【解決手段】本発明の収納体は、複数のシート状の対象物の間を仕切りつつ重ねて収納する収納体であって、複数の対象物のそれぞれを個別に収納可能な開口を有する複数の受容部、および複数の受容部からなる受容部群の周りに巻き付けられて複数の受容部のそれぞれの開口の一部を閉じる第１蓋部を有する第１部分と、複数の受容部のそれぞれの開口の残部を閉じる第２蓋部を有し、受容部群の周りに巻き付けられる第２部分と、を備える。本発明の収納体において、受容部、第１蓋部および第２蓋部により、対象物の収納空間が構成される。【選択図】図１
2016159973.tif 000002
【特許請求の範囲】
【請求項１】
複数のシート状の対象物の間を仕切りつつ重ねて収納可能な収納体であって、
前記複数の対象物のそれぞれを個別に受容可能な開口を有する複数の受容部、および前記複数の受容部のそれぞれの開口の一部を閉じる第１蓋部を有する第１部分と、
前記複数の受容部のそれぞれの開口の残部を閉じる第２蓋部を有し、前記複数の受容部からなる受容部群の周りに巻き付けられる第２部分と、
を備え、
前記受容部、前記第１蓋部および前記第２蓋部により、前記対象物の収納空間が構成されることを特徴とする収納体。
【請求項２】
前記受容部群は、長尺状のシート材を蛇腹状に折り曲げることで構成され、
前記受容部は、前記長尺状のシート材が蛇腹状に折り曲げられてなる互いに向かい合う２面を備える、請求項１記載の収納体。
【請求項３】
前記第１部分を構成する部材は一方の面に剥離面を有し、
前記第２部分を構成する部材は一方の面に剥離面を有する、請求項１または請求項２に記載の収納体。
【請求項４】
前記収納空間を構成する面は前記剥離面からなる、請求項３に記載の収納体。
【請求項５】
前記第２部分は、前記第１部分と同じ長尺状のシート材によって一体形成された、請求項１から請求項４のいずれか１項に記載の収納体。
【請求項６】
前記長尺状のシート材は、前記第１部分と前記第２部分との間に設けられた第３部分を備え、
前記受容部群は、長尺状のシート材を蛇腹状に折り曲げることで構成され、
前記第２部分は、前記複数の受容部の蛇腹の山折りの辺および谷折りの辺と交差しないように前記受容部群の周りに巻き付けられ、
前記第３部分は、前記第１部分および前記第２部分を延ばした際に前記第１部分の延びる方向と前記第２部分の延びる方向とを直交させるための折り返し部を有する、請求項５記載の収納体。
【請求項７】
前記第１部分は、蛇腹状に折り曲げられる部分を有する第１シート材と、蛇腹状に折り曲げられる部分を有する第２シート材と、を有し、
前記第１シート材の端部は、前記第２シート材の端部と重ね合わされ、
前記第１シート材および前記第２シート材を延ばした際に前記第１シート材と前記第２シート材とは互いに直交し、
前記第１シート材の蛇腹の面と前記第２シート材の蛇腹の面とが交互に重ね合わされることで前記受容部群が構成される、請求項１から請求項４のいずれか１項に記載の収納体。
【請求項８】
前記受容部群は、長尺状のシート材を蛇腹状に折り曲げることで構成され、
前記第１蓋部は、前記シート材の蛇腹の山折りの辺および谷折りの辺の少なくとも一方と交差するように前記受容部群の周りに巻き付けられ、
前記第２蓋部は、前記シート材の蛇腹の山折りの辺および谷折りの辺と交差しないように前記受容部群の周りに巻き付けられる、請求項１から請求項４のいずれか１項に記載の収納体。
【発明の詳細な説明】
【技術分野】
【０００１】
本発明は、複数のシート状の対象物を重ねて収納する収納体に関する。
【背景技術】
【０００２】
フィルムなどのシート状の対象物を収納する収納体においては、複数毎の対象物を重ねることで効率的な収納を行うことができる。特許文献１（特開平１０−１７５６６４号公報）には、粘着層を介して積層された偏光板の保護構造に関し、この偏光板を複数積み重ねた重畳体を、内側に非粘着性処理が施された１枚のフィルムで全方位を包装する構成が開示されている。これにより、移送時の振動による粘着層の欠けを防止している。
【０００３】
特許文献２（特開２０００−１９１９９４号公報）には、光学フィルムの片面または両面に接着剤層を有し、この接着剤層の上に剥離フィルムを有するフィルム積層後接着層付き光学フィルム重畳体の梱包体が開示されている。特許文献２には、このような光学フィルムを重ねると、フィルム間で滑りが生じて型崩れを起こすことが記載されている。
【０００４】
特許文献３（特開２００７−２５３９９２号公報）には、上下２枚の包装フィルム間に、上下に保護シートを配置した光学フィルム重畳体を挿入する工程、光学フィルム重畳体の周囲をヒートシールすると共に溶断してフィルム包装体とする工程およびフィルム包装体を加熱して表面の包装フィルムを熱収縮させる工程を備えた光学フィルム重畳体の梱包方法が記載されている。
【０００５】
特許文献４（特開２００５−２１２９００号公報）には、第１の包装部により粘着剤層を有する光学シートを包み、その後、第２の包装部により第１の包装部を包む光学シートの包装構造が記載されている。これにより、光学シート内に含まれる粘着剤層材料が流出してしまう状況を減らすことができる。
【０００６】
特許文献５（特開２００３-１３７３５１号公報）には、帯状に形成された可撓性の緩衝部材が蛇腹状に折りたたまれ、谷折り状態になされた緩衝部材の間に被梱包商品を挟むようにした梱包装置が記載される。
【０００７】
特許文献６（特開２００８−０８１１９０号公報）には、光学シートを１辺又は２辺、３辺を接合した包装シートにいれて、包装シートを折り曲げてサイズ調整する光学シート用の包装材が記載されている。
【先行技術文献】
【特許文献】
【０００８】
【特許文献１】特開平１０−１７５６６４号公報
【特許文献２】特開２０００−１９１９９４号公報
【特許文献３】特開２００７−２５３９９２号公報
【特許文献４】特開２００５−２１２９００号公報
【特許文献５】特開２００３-１３７３５１号公報
【特許文献６】特開２００８−０８１１９０号公報
【発明の概要】
【発明が解決しようとする課題】
【０００９】
複数のフィルム状の対象物を収納するには、各対象物の間を仕切ることで互いの接触による影響を抑制することが望ましい。また、対象物に粘着剤層が含まれている場合、対象物の端面から粘着剤が外部に付着しないように対象物の周囲を包むよう収納する必要がある。また、収納体の構造が複雑になると収納作業に時間を要するとともにコストアップに繋がることになる。
【００１０】
本発明は、簡単な構造で複数の対象物のそれぞれを個別に包むことができる収納体を提供することを目的とする。
【課題を解決するための手段】
【００１１】
上記課題を解決するため、本発明の収納体は、複数のシート状の対象物の間を仕切りつつ重ねて収納する収納体であって、複数の対象物のそれぞれを個別に収納可能な開口を有する複数の受容部、および複数の受容部からなる受容部群の周りに巻き付けられて複数の受容部のそれぞれの開口の一部を閉じる第１蓋部を有する第１部分と、複数の受容部のそれぞれの開口の残部を閉じる第２蓋部を有し、受容部群の周りに巻き付けられる第２部分と、を備える。本発明の収納体において、受容部、第１蓋部および第２蓋部により、対象物の収納空間が構成される。
【００１２】
このような構成によれば、複数の対象物のそれぞれは第１部分に設けられた受容部に個別に収納される。また、第１部分の第１蓋部、および第２部分の第２蓋部によって複数の受容部のそれぞれの開口を閉じるため、受容部に個別に収納された各対象物は、周囲を包まれるように収納されることになる。さらに、第１部分に受容部群と第１蓋部とが設けられることで、構造が簡素化される。
【００１３】
本発明の収納体において、受容部群は、長尺状のシート材を蛇腹状に折り曲げることで構成され、受容部は、長尺状のシート材が蛇腹状に折り曲げられてなる互いに向かい合う２面を備えていてもよい。このような構成によれば、蛇腹状に折り曲げることで互いに向かい合う２面の間を受容部として対象物を個別に収納することができる。
【００１４】
本発明の収納体において、第２部分は、第１部分と同じ長尺状のシート材によって一体形成されていてもよい。このような構成によれば、１枚の長尺状のシート材によって第１部分と第２部分とが形成されるため、収納体の構造が簡素化する。
【００１５】
本発明の収納体において、第１部分を構成する部材は一方の面に剥離面を有し、第２部分を構成する部材は一方の面に剥離面を有していてもよい。このような構成によれば、第１部分および第２部分を構成する部材の一方面のみに剥離面を設けるだけで、対象物の受容部への貼り付きを防止することができる。
【００１６】
本発明の収納体において、収納空間を構成する面は剥離面で構成されていてもよい。このような構成によれば、収容部に収容される対象物は剥離面で囲まれることになる。
【００１７】
本発明の収納体において、長尺状のシート材は第１部分と第２部分との間に設けられた第３部分を備え、受容部群は、長尺状のシート材を蛇腹状に折り曲げることで構成され、第２部分は、複数の受容部の蛇腹の山折りの辺および谷折りの辺と交差しないように受容部群の周りに巻き付けられ、第３部分は、第１部分および第２部分を延ばした際に第１部分の延びる方向と第２部分の延びる方向とを直交させるための折り返し部を有するように設けられていてもよい。
【００１８】
このような構成によれば、１枚の長尺状のシート材の折り曲げ方によって第１部分および第２部分が構成されるため、収納体の構造が簡素化する。
【００１９】
本発明の収納体において、第１部分は、蛇腹状に折り曲げられる部分を有する第１シート材と、蛇腹状に折り曲げられる部分を有する第２シート材と、を有し、第１シート材の端部は、第２シート材の端部と重ね合わされ、第１シート材および第２シート材を延ばした際に第１シート材と第２シート材とは互いに直交し、第１シート材の蛇腹の面と第２シート材の蛇腹の面とが交互に重ね合わされることで複数の受容部が構成されるようにしてもよい。
【００２０】
このような構成によれば、蛇腹状の第１シート材の蛇腹の面と蛇腹状の第２シート材の蛇腹の面とが互いに交互に重ね合わされることで、向かい合う２面の間に対象物を収納する受容部が構成される。２つの蛇腹が組み合わさることで、伸縮性のある収納体となる。また、互いに同じ形状の第１シート材および第２シート材を用意し、それぞれ蛇腹状に折り曲げて組み合わせることで受容部を構成することができる。
【００２１】
本発明の収納体において、収容部群は、長尺状のシート材を蛇腹状に折り曲げることで構成され、第１蓋部は、シート材の蛇腹の山折りの辺および谷折りの辺の少なくとも一方と交差するように第１部分の周りに巻き付けられ、第２蓋部は、シート材の蛇腹の山折りの辺および谷折りの辺と交差しないように第１部分の周りに巻き付けられるよう構成してもよい。このような構成によれば、シート材によって第１部分および第２部分を簡単な構成によって実現することができる。
【発明の効果】
【００２２】
本発明によれば、簡単な構造で複数の対象物のそれぞれを個別に包むことができる収納体を提供することが可能になる。
【図面の簡単な説明】
【００２３】
【図１】（ａ）および（ｂ）は、第１実施形態に係る収納体を例示する模式図である。
【図２】（ａ）〜（ｃ）は、収納体による対象物の収納方法について例示する模式図である。
【図３】（ａ）および（ｂ）は、収納体による対象物の収納方法について例示する模式図である。
【図４】（ａ）〜（ｃ）は、収納体による対象物の収納方法について例示する模式図である。
【図５】（ａ）および（ｂ）は、第２実施形態に係る収納体を例示する模式図である。
【図６】（ａ）および（ｂ）は、第２実施形態に係る収納体を例示する模式図である。
【図７】（ａ）および（ｂ）は、第２部分の巻き付け手順を例示する模式図である。
【図８】（ａ）および（ｂ）は、第２部分の巻き付け手順を例示する模式図である。
【図９】（ａ）および（ｂ）は、第３実施形態に係る収納体を例示する模式図である。
【図１０】（ａ）〜（ｄ）は、第２部分の巻き付け手順を例示する模式図である。
【図１１】（ａ）および（ｂ）は、ロールを用いた収納方法について例示する模式図である。
【発明を実施するための形態】
【００２４】
以下、本発明の実施形態を図面に基づいて説明する。なお、以下の説明では、同一の部材には同一の符号を付し、一度説明した部材については適宜その説明を省略する。
【００２５】
（第１実施形態）
図１（ａ）および（ｂ）は、第１実施形態に係る収納体を例示する模式図である。
図１（ａ）には本実施形態に係る収納体１Ａの平面図が表され、図１（ｂ）には本実施形態に係る収納体１Ａの受容部ＳＰを例示する斜視図が表される。
収納体１Ａは、複数のシート状の対象物ＯＢの間を仕切りつつ重ねて収納する部材である。収納体１Ａは、長尺状のシート材ＳＴを折り曲げることで構成される。
【００２６】
シート材ＳＴは、第１部分Ｐ１、第２部分Ｐ２および第３部分Ｐ３を有する。シート材ＳＴの一部である第１部分Ｐ１には複数の受容部ＳＰからなる受容部群および第１蓋部１０が設けられる。シート材ＳＴの他の一部である第２部分Ｐ２には第２蓋部２０が設けられる。第１部分Ｐ１と第２部分Ｐ２との間に設けられた第３部分Ｐ３には折り返し部３０が設けられる。
【００２７】
収納体１Ａにおいて、第２部分Ｐ２および折り返し部３０（第３部分Ｐ３）は、複数の受容部ＳＰからなる受容部群と同じシート材ＳＴによって一体形成される。これにより、収納体１Ａの構造が簡素化する。
【００２８】
受容部ＳＰは、各対象物ＯＢを個別に受容可能な開口を有する。受容部ＳＰは、シート材ＳＴの第１部分Ｐ１の一部を蛇腹状に折り曲げた部分に構成される。すなわち、受容部ＳＰは、蛇腹状に折り曲げることで互いに向かい合う２つの面（面Ｆ１およびＦ２）を備える。また、第１部分Ｐ１は、複数の受容部ＳＰからなる受容部群のそれぞれの開口の一部を閉じる第１蓋部１０を有する。
【００２９】
第２部分Ｐ２は、複数の受容部ＳＰのそれぞれの開口の残部（第１蓋部１０によって閉じられていない開口）を閉じる第２蓋部２０を有し、複数の受容部ＳＰによりなる受容部群に巻き付けられる。
【００３０】
折り返し部３０には、対角を繋ぐ折り目Ｃ１が設けられる。折り目Ｃ１に沿ってシート材ＳＴを折り曲げることで、第２部分Ｐ２の延びる方向が９０度変換される。これにより、受容部ＳＰの開口のうち第１蓋部１０で覆う開口と直交する方向の開口を第２部分Ｐ２の第２蓋部２０覆うことができるようになる。
【００３１】
ここで、収納する対象物ＯＢとして、接着剤層を含む対象物ＯＢを収納する場合には、収納した際に接着剤層の接着剤が収納体１Ａの接触部分に付着する可能性がある。このような場合、シート材ＳＴの対象物ＯＢと接触する面が剥離面を有することが好ましい。剥離面は、シート材ＳＴの対象物ＯＢと接触する面の全部が剥離面であってもよい。剥離面は、シート材を与える基材の所定の面に剥離処理をすることにより得ることができる。収納体１Ａにおいては、シート材ＳＴにおいて対象物ＯＢと接触しない面は剥離面を有する必要はない。
【００３２】
後述する収納体１Ａによる収納方向では、複数の対象物ＯＢを収納する収納空間を構成する面が剥離面を有し、この剥離面が必ず対象物ＯＢを向くことになる。これにより、対象物ＯＢを収納する際に対象物ＯＢに形成された接着剤が収納体１Ａに付着しても、対象物ＯＢの貼り付きが防止され、対象物ＯＢを容易に取り出すことができるようになる。
【００３３】
次に、収納体１Ａによる対象物ＯＢの収納方法について説明する。
図２（ａ）〜図４（ｃ）は、収納体による対象物の収納方法について例示する模式図である。
先ず、図２（ａ）に表したように、シート材ＳＴの第１部分Ｐ１を蛇腹状に折り曲げて、複数の受容部ＳＰからなる受容部群を構成する。収納体１Ａにおいては、シート材ＳＴの対象物ＯＢが接触する一方の面が剥離面からなる。以下の説明では、シート材ＳＴにおいて剥離面である面を表面ＦＳ、剥離面でない面を裏面ＢＳと言うことにする。
【００３４】
次に、各受容部ＳＰに対象物ＯＢを差し込むように収納する。例えば、蛇腹の開口から谷の部分に対象物ＯＢを差し込むようにして収納する。ここで、収納体１Ａの受容部ＳＰにおいては、蛇腹の谷は塞がれているものの、蛇腹の山側と両脇とが開口した状態になっている。山側の開口を上部開口１１、両脇の開口を側部開口１２と言うことにする。
【００３５】
各受容部ＳＰに対象物ＯＢを収納した後は、図２（ｂ）に表したように、第２部分Ｐ２および折り返し部３０を、蛇腹状の複数の受容部ＳＰからなる受容部群側に折り返す。そして、図２（ｃ）に表したように、複数の受容部ＳＰからなる受容部群を包むように第２部分Ｐ２および折り返し部３０を巻き付ける。この際、上部開口１１は、第１蓋部１０によって塞がれることになる。この際、第１蓋部１０の表面ＦＳが対象物ＯＢ側に向くことになる。
【００３６】
次に、図３（ａ）に表したように、複数の受容部ＳＰからなる受容部群に折り返し部３０を被せた状態で、図３（ｂ）に表したように、折り返し部３０の折り目Ｃ１でシート材ＳＴの第２部分Ｐ２側を折り曲げる。これにより、第２部分Ｐ２の延びる方向が９０度変換される。
【００３７】
次に、図４（ａ）に表したように、折り返し部３０と第２部分Ｐ２との間の折り目Ｃ２でシート材ＳＴを折り曲げて、第２部分Ｐ２を１８０度反転させる。これにより、シート材ＳＴの表面ＦＳが内側、裏面ＢＳが外側になる。
【００３８】
次に、図４（ｂ）に表したように、複数の受容部ＳＰからなる受容部群に第２部分Ｐ２を巻き付けていく。この巻き付けによって側部開口１２の一方に第２部分Ｐ２の第２蓋部２０が被せられる。さらに、複数の受容部ＳＰからなる受容部群に第２部分Ｐ２を巻き付けていくと、図４（ｃ）に表したように、側部開口１２の他方も第２部分Ｐ２の第２蓋部２０によって被せられる。この際、側部開口１２を塞ぐ第２部分Ｐ２も表面ＦＳが内側を向くことになる。これにより、受容部ＳＰ、第１蓋部１０および第２蓋部２０により対象物のＯＢの収納空間が構成され、対象物ＯＢの収納が完了する。
【００３９】
このような収納体１Ａでは、１枚のシート材ＳＴの第１部分Ｐ１を蛇腹状に折り曲げて、複数の受容部ＳＰからなる受容部群が構成される。また、シート材ＳＴの第２部分Ｐ２は、第１部分Ｐ１の蛇腹の山折りの辺および谷折りの辺と交差しないように第１部分Ｐ１の周りに巻き付けられる。これにより、１枚のシート材ＳＴによって複数の受容部ＳＰからなる受容部群を構成し、さらに同じシート材ＳＴによって複数の受容部ＳＰからなる受容部群の上部開口１１および側部開口１２を閉じるよう梱包することができる。また、対象物ＯＢと接する部分は全てシート材ＳＴの表面ＦＳになり、対象物ＯＢの収納体１Ａへの貼り付きを効果的に防止することができる。
【００４０】
（第２実施形態）
次に、第２実施形態に係る収納体について説明する。
図５（ａ）〜図６（ｂ）は、第２実施形態に係る収納体を例示する模式図である。
図５（ａ）には展開図、図５（ｂ）には分解図が表される。図６（ａ）には全体図、図６（ｂ）には受容部ＳＰの状態が表される。
【００４１】
本実施形態に係る収納体１Ｂは、蛇腹状に折り曲げられる部分を有する第１シート材ＳＴ１と、蛇腹状に折り曲げられる部分を有する第２シート材ＳＴ２とを備える。第１シート材ＳＴ１は第１部分Ｐ１を含む。第１シート材ＳＴ１の蛇腹状に折り曲げられた部分に受容部ＳＰが構成される。第１シート材ＳＴ１には第１蓋部１０が含まれる。
【００４２】
第２シート材ＳＴ２は第１部分Ｐ１および第２部分Ｐ２を含む。第１部分Ｐ１には蛇腹状に折り曲げられた受容部ＳＰが構成される。第２シート材ＳＴ２の第２部分Ｐ２には第２蓋部２０が含まれる。
【００４３】
蛇腹状に折り曲げられた部分を有する第１シート材ＳＴ１と、蛇腹状に折り曲げられた部分を有する第２シート材ＳＴ２とは、互いに蛇腹の面が交差するように重ね合わされている。すなわち、第１シート材ＳＴ１の蛇腹の山の向きと、第２シート材ＳＴ２の蛇腹の山の向きとは互いに９０度相違する。そして、第１シート材ＳＴ１の蛇腹の各面と、第２シート材ＳＴ２の蛇腹の各面とを交互に重ねて交差させることで図６（ａ）に示すような収納体１Ｂが構成される。
【００４４】
図６（ｂ）に表したように、第１シート材ＳＴ１の第１部分Ｐ１の蛇腹の面と、第２シート材ＳＴ２の第１部分Ｐ１の蛇腹の面とが互いに交互に重ね合わされることで、向かい合う２面を含んで対象物ＯＢを収納する受容部ＳＰが構成される。２つの蛇腹が組み合わさることで、伸縮性のある収納体１Ｂとなる。
【００４５】
また、収納体１Ｂにおいては、２つの蛇腹が組み合わされることで受容部ＳＰが構成されるため、受容部ＳＰには第１開口１５と、第１開口１５と直交する第２開口１６とが設けられることになる。
【００４６】
次に、収納体１Ｂによる対象物ＯＢの収納方法について説明する。
先ず、図６（ｂ）に表したように、２つの蛇腹の組み合わせによって構成される複数の受容部ＳＰに対象物ＯＢを収納する。収納体１Ｂにおいては、第１シート材ＳＴ１および第２シート材ＳＴ２の対象物ＯＢが接触する一方の面（表面ＦＳ）が剥離面である。受容部ＳＰを構成する向かい合う２面は、第１シート材ＳＴ１の表面ＦＳと第２シート材ＳＴ２の表面ＦＳとが向かい合うようになっている。
【００４７】
受容部ＳＰに対象物ＯＢを収納した後は、第２部分Ｐ２の巻き付けを行う。
図７（ａ）〜図８（ｂ）は、第２部分の巻き付け手順を例示する模式図である。
先ず、図７（ａ）に表したように、複数の受容部ＳＰからなる受容部群を畳むようにする。この状態では、複数の受容部ＳＰからなる受容部群から第１シート材ＳＴ１の端部および第２シート材ＳＴ２の端部が互いに９０度の方向に延びように配置される。
【００４８】
次に、図７（ｂ）に表したように、第２シート材ＳＴ２の第２部分Ｐ２を、複数の受容部ＳＰからなる受容部群に被せるように巻き付ける。これにより、第２シート材ＳＴ２の第２部分Ｐ２によって第２開口１６が覆われるようになる。第２開口１６を覆う第２部分Ｐ２は第２シート材ＳＴ２の表面ＦＳである。
【００４９】
次に、図８（ａ）に表したように、第１シート材ＳＴ１の端部を、複数の受容部ＳＰからなる受容部群に被せるように巻き付ける。これにより、第１シート材ＳＴ１の第１蓋部１０によって第１開口１５が覆われるようになる。第１開口１５を覆う第１蓋部１０は第１シート材ＳＴ１の表面ＦＳである。
【００５０】
次いで、図８（ｂ）に表したように、第１シート材ＳＴ１および第２シート材ＳＴ２のそれぞれの端部の残りを、複数の受容部ＳＰからなる受容部群に巻き付ける。これにより、受容部ＳＰ、第１蓋部１０および第２蓋部２０により対象物のＯＢの収納空間が構成され、対象物ＯＢの収納が完了する。
【００５１】
このような収納体１Ｂでは、互いに同じ形状の第１シート材ＳＴ１および第２シート材ＳＴ２を用意し、それぞれ蛇腹状に折り曲げて組み合わせることが受容部ＳＰを構成することができる。そして、互いの蛇腹の向かい合う２面の間に対象物ＯＢを収納する受容部ＳＰが構成され、伸縮性のある収納体１Ｂを構成することができる。また、受容部ＳＰについて開口が２箇所（第１開口１５および第２開口１６）になるため、対象物ＯＢを収納しやすいというメリットがある。
【００５２】
（第３実施形態）
次に、第３実施形態に係る収納体について説明する。
図９（ａ）および（ｂ）は、第３実施形態に係る収納体を例示する模式図である。
図９（ａ）には展開図、図９（ｂ）には受容部ＳＰの状態が表される。
【００５３】
本実施形態に係る収納体１Ｃは、第１シート材ＳＴ１と、第２シート材ＳＴ２とを備える。第１シート材ＳＴ１は第１部分Ｐ１を含む。第１部分Ｐ１には、蛇腹状に折り曲げられた複数の受容部ＳＰからなる受容部群が構成される。第１シート材ＳＴ１の第１部分Ｐ１には第１蓋部１０が含まれる。
【００５４】
第２シート材ＳＴ２は第２部分Ｐ２を含む。第２部分Ｐ２には第２蓋部２０が含まれる。第１シート材ＳＴ１および第２シート材ＳＴ２を延ばした状態で、第２シート材ＳＴ２は第１シート材ＳＴ１の端部に第１シート材ＳＴ１の延びる方向と直交する方向に配置される。
【００５５】
収納体１Ｃにおいて、第１シート材ＳＴ１の第１部分Ｐ１の一部を蛇腹状に折り曲げて、複数の受容部ＳＰからなる受容部群を構成している。受容部ＳＰにおいては、上部開口１１と、両脇の側部開口１２とが設けられる。
【００５６】
第２シート材ＳＴ２の第２部分Ｐ２は、第１シート材ＳＴ１の蛇腹の山折りの辺および谷折りの辺と交差しないように複数の受容部ＳＰからなる受容部群の周りに巻き付けられる。これにより、受容部ＳＰの側部開口１２には、第２部分Ｐ２の第２蓋部２０が被せられる。また、第１シート材ＳＴ１の第１蓋部１０は、受容部ＳＰの上部開口１１に被せられる。
【００５７】
次に、収納体１Ｃによる対象物ＯＢの収納方法について説明する。
先ず、第１シート材ＳＴ１の第１部分Ｐ１を蛇腹状に折り曲げて、複数の受容部ＳＰからなる受容部群を構成する。収納体１Ｃにおいては、第１シート材ＳＴ１の対象物ＯＢが接触する一方の面（表面ＦＳ）が剥離面である。
【００５８】
次に、各受容部ＳＰに対象物ＯＢを差し込むように収納する。例えば、蛇腹の開口から谷の部分に対象物ＯＢを差し込むようにして収納する。対象物ＯＢを収納した後、第２シート材ＳＴ２を第１シート材ＳＴ１の端部に重ね合わせる。第２シート材ＳＴ２の第１シート材ＳＴ１側の面（表面ＦＳ）も剥離面である。そして、第２部分Ｐ２の巻き付けを行う。
【００５９】
図１０（ａ）〜（ｄ）は、第２部分の巻き付け手順を例示する模式図である。
先ず、図１０（ａ）に表したように、第１シート材ＳＴ１の複数の受容部ＳＰからなる受容部群を第２シート材ＳＴ２の上に畳むように配置する。この際、第１シート材ＳＴ１の第１蓋部１０側の端部は延びた状態になっている。
【００６０】
次に、図１０（ｂ）に表したように、第２シート材ＳＴ２の第２部分Ｐ２を、複数の受容部ＳＰからなる受容部群に被せるように巻き付ける。これにより、両脇の側部開口１２が第２シート材ＳＴ２の第２蓋部２０によって覆われるようになる。第２開口１６を覆う第２蓋部２０は第２シート材ＳＴ２の表面ＦＳである。
【００６１】
次に、図１０（ｃ）に表したように、第１シート材ＳＴ１の端部を、複数の受容部ＳＰからなる受容部群に被せるように巻き付ける。第１シート材ＳＴ１は第２シート材ＳＴ２と交差するように巻き付けられる。これにより、上部開口１１が第１シート材ＳＴ１の第１蓋部１０によって覆われるようになる。上部開口１１を覆う第１蓋部１０は第１シート材ＳＴ１の表面ＦＳである。
【００６２】
次いで、図１０（ｄ）に表したように、第１シート材ＳＴ１の端部を、複数の受容部ＳＰからなる受容部群に巻き付ける。これにより、受容部ＳＰ、第１蓋部１０および第２蓋部２０により対象物のＯＢの収納空間が構成され、対象物ＯＢの収納が完了する。このような収納体１Ｃを用いた対象物ＯＢの収納では、第１シート材ＳＴ１および第２シート材ＳＴ２ともに単純な折り曲げだけで済むことから、収納体１Ｃの構成が非常に簡素化される。
【００６３】
図１１（ａ）および（ｂ）は、ロールを用いた収納方法について例示する模式図である。
この収納方法では、第１シート材ＳＴ１のシート材料をロールＲにして、引き出しながら受容部ＳＰを構成している。すなわち、図１１（ａ）に表したように、ロールＲからシート材料を引き出しながら蛇腹状に折り曲げていく。これにより蛇腹部分に受容部ＳＰが構成される。対象物ＯＢは、順次蛇腹状に折り曲げて構成された受容部ＳＰに順番に差し込まれる。
【００６４】
そして、ロールＲからシート材料を引き出し、蛇腹を形成しながら所定枚数の対象物ＯＢを受容部ＳＰに収納した後、図１１（ｂ）に表したように、シート材料を切断ラインＣＬで切断する。切断の前、または切断の後、第１シート材ＳＴ１の端部側に第１蓋部１０を設ける。
【００６５】
図示しないが、第２シート材ＳＴ２についても、同様なロール（第１シート材ＳＴ１を形成するロールＲと同じでも、別でもよい。）からのシート材料の引き出しによって形成してもよい。その後は、図１０（ａ）〜（ｄ）に示した方法によって第２部分Ｐ２を巻き付ける。
【００６６】
このようなロールＲを用いた収納方法では、予め第１シート材ＳＴ１の蛇腹を形成しておく必要はなく、ロールＲからシート材料を引き出しながら蛇腹を形成すればよい。したがって、蛇腹折りによる受容部ＳＰの形成と対象物ＯＢの収納とを連続的に行うことができ、収納工程を短縮化することが可能になる。
【００６７】
以上説明したように、実施形態によれば、簡単な構造で複数の対象物ＯＢのそれぞれを個別に包むことができる収納体１Ａ、１Ｂおよび１Ｃを提供することが可能になる。
【００６８】
なお、上記に本実施形態を説明したが、本発明はこれらの例に限定されるものではない。例えば、前述の各実施形態に対して、当業者が適宜、構成要素の追加、削除、設計変更を行ったものや、各実施形態に示した例の特徴を適宜組み合わせたものも、本発明の要旨を備えている限り、本発明の範囲に含有される。
【符号の説明】
【００６９】
１Ａ，１Ｂ，１Ｃ…収納体
１０…第１蓋部
１１…上部開口
１２…側部開口
１５…第１開口
１６…第２開口
２０…第２蓋部
３０…折り返し部
ＢＳ…裏面
Ｃ１，Ｃ２…折り目
ＣＬ…切断ライン
Ｆ１…面
ＦＳ…表面
ＯＢ…対象物
Ｐ１…第１部分
Ｐ２…第２部分
Ｐ３…第３部分
Ｒ…ロール
ＳＰ…受容部
ＳＴ…シート材
ＳＴ１…第１シート材
ＳＴ２…第２シート材
【図１】
2016159973.tif 000003
【図２】
2016159973.tif 000004
【図３】
2016159973.tif 000005
【図４】
2016159973.tif 000006
【図５】
2016159973.tif 000007
【図６】
2016159973.tif 000008
【図７】
2016159973.tif 000009
【図８】
2016159973.tif 000010
【図９】
2016159973.tif 000011
【図１０】
2016159973.tif 000012
【図１１】
2016159973.tif 000013